(57)【要約】【課題】CD再生時、有効領域外からの受光素子への不要迷光の戻り量が変化するため、トラッキングエラーが変動し、サーボが不安定になる。【解決手段】光学部品を配置する固定部にディスク半径方向に平行な帯形状の波長選択型の開口フィルター７を備えていることを特徴とする。【選択図】図１
2008186511.tif 000002
【特許請求の範囲】
【請求項１】
ＤＶＤ，CDを再生させるためのそれぞれ異なった波長のレーザーと、再生信号用の透過光に加えCD再生時のトラッキングエラー用の回折光を生成するグレーティングと、前記ＤＶＤ，ＣＤ用レーザー光源からの発散光を略平行光に変換するコリメートレンズと、前記コリメートレンズを通った略平行光をＤＶＤ，ＣＤなどの光ディスクの信号面に集光する対物レンズと、この対物レンズを少なくとも光軸方向と光ディスクの半径方向の２軸方向に可動させる可動ユニットと、前記光ディスクの反射光を検出するための受光部として再生信号用の透過光受光素子と、CD再生時のトラッキングエラー用の回折光受光素子と、前記反射光を前記透過光受光素子と前記回折光受光素子に導くホログラムと、ＤＶＤ再生用のレーザーを透過させＣＤ再生レーザー光を遮光するフィルター部を備え、前記フィルター部は固定部材に設けられている、光ピックアップ。
【請求項２】
前記フィルター部は前記レーザー光が通る光軸方向と直交する面上の前記光軸を中心として前記光ディスク半径方向と直交方向に幅を持つ矩形領域を除く領域に設けられ、この矩形領域の幅は略ＣＤ再生時の有効領域寸法でかつ前記受光部では前記透過光受光素子と前記回折用受光素子の境界より内側の前記透過受光素子内に投影される領域である、請求項１記載の光ピックアップ。
【請求項３】
前記固定部材は、光学部品と前記可動ユニットを保持する光学ベースである、請求項２記載の光ピックアップ。
【請求項４】
前記固定部材は、前記ホログラムである、請求項２記載の光ピックアップ。
【請求項５】
前記固定部材は、前記コリメートレンズである、請求項２記載の光ピックアップ。
【請求項６】
前記ＤＶＤ，CDを再生させるためのそれぞれ異なった波長のレーザーと、前記CD再生時のトラッキングエラー用のサブビームを生成するグレーティングと、前記反射光を前記受光素子に導くホログラムと、前記透過光受光素子と、前記回折受光素子は一体化した2波長レーザー集積ユニットである、請求項２記載の光ピックアップ。
【請求項７】
前記対物レンズは前記ＤＶＤ，ＣＤを再生するための有効領域の境界に段差を有する、請求項２記載の光ピックアップ。
【発明の詳細な説明】
【技術分野】
【０００１】
本発明は、情報記録媒体にレーザー光などの光ビームを照射して情報記録媒体の信号面の記録再生を行う光学式ディスク記録再生装置に用いる光ピックアップに関するものである。
【背景技術】
【０００２】
ＤＶＤ，ＣＤなど異なった基材の光ディスクを記録再生する光ピックアップにおいて、ＤＶＤ，ＣＤ両ディスクを再生させるため、近年ではＤＶＤ再生用レーザー、ＣＤ再生用レーザー、ホログラム素子、受光素子を一体化した２波長レーザー集積ユニットを搭載した光学系を採用したものが多くなっている。
【０００３】
図１０は従来例としての２波長レーザー集積ユニットを搭載した一般的な光ピックアップの光学構成図を示したものである。
【０００４】
図１０に示す１０１はＤＶＤ用の波長６５０ｎｍ付近のレーザー光源、ＣＤ用の波長７８０ｎｍ付近のレーザー光源と受光素子と信号面からの反射光を受光素子に導くホログラムを一体化した２波長レーザー集積ユニット、１０２は２波長レーザー集積ユニット１０１から発散光として出射されるレーザー光を平行光に変換するコリメートレンズ、１０３はコリメートレンズより出射され平行光を垂直方向に折り曲げるミラー、１０４は入射された平行光を光ディスク１０６の信号面に集光する対物レンズ、１０５は対物レンズ１０４と一体化して少なくとも光軸方向、及びディスクの半径方向の２軸方向に可動する可動ユニットである。光ディスク１０６の入射側表面から信号面までの厚みはＤＶＤで約０．６ｍｍ、ＣＤでは約１．２ｍｍである。記録密度の高いＤＶＤ側は通常、ＮＡ（開口数）約０．６、ＣＤでは約０．４５とＤＶＤ側の方が大きいため、対物レンズ１０４のうち、ＤＶＤを再生するのに使用するＤＶＤ再生有効範囲１０９ｄはＣＤを再生するのに使用するＣＤ再生有効範囲１０９ｃより広くなる。ＣＤ再生時にはＤＶＤ有効範囲１０９ｄとＣＤ再生有効範囲１０９ｃの差分は再生に不要な光として対物レンズ１０４に入射される。
【０００５】
図１１は２波長レーザー集積ユニットの分解斜視図である。図１１に示す１個、もしくは２個のレーザーチップから成る２波長レーザー１０１ａより出射された光はホログラム１０１ｃのグレーティングパターン１０１ｃ１により回折されこのうち±１次光がＣＤ再生時に使用するトラッキングエラー生成時に使用される。次にホログラムパターン１０１ｃ２を通るが、このうち透過光のみが図１２のコリメートレンズ１０２、ミラー１０３、対物レンズ１０４を通り光ディスク１０６の信号面に集光される。この集光された光は光ディスク１０６の信号面で反射し、光ディスク１０６への入射時とは逆に対物レンズ１０４、ミラー１０３、コリメートレンズ１０２を通り２波長レーザー集積ユニット１０１に戻ってくる。２波長レーザー集積ユニット１０１ではホログラムパターン１０１ｃ２で回折され受光素子１０１ｂに導かれる。グレーティング素子１０１ｃ１で回折された±１次光でありＣＤトラッキングエラー用の信号は回折光用受光素子１０１ｂ２に、グレーティング素子１０１ｃ１での透過光であり再生用に用いられる信号は透過光受光素子１０１ｂ１に導かれる。
【０００６】
次に受光素子と光ディスクからの戻り光との関係について図１２を用いて説明する。図１１にて前述した通り、ＣＤトラッキングエラー用に用いられる回折戻り光１１０ｂは回折光受光素子１０１ｂ２に、再生用信号に用いられる透過戻り光１１０ａは透過光受光素子１０１ｂ１に導かれる。また、前述した通り、図１０にてＣＤ再生時に使用するＣＤ再生有効範囲１０９ｃはＤＶＤ再生有効範囲１０９ｄより小さいため、この領域の差動分の光が透過戻り迷光１１０ｃとして透過戻り光１１０ａの外側であり透過光受光素子１０１ｂ１と回折光受光素子１０１ｂ２に交差して戻ってくる。光ディスク１０６が接線方向に傾きが変化した時、戻り光は矢印Ｔ方向に変位する。この時、通常、透過戻り光１１０ａ、回折戻り光１１０ｂはそれぞれ透過光受光素子１０１ｂ１、回折光受光素子１０１ｂ２からはみ出すことがないように設定されている。透過戻り迷光１１０ｃは透過光受光素子１０１ｂ１と回折光受光素子１０１ｂ２の境界に戻ってくるため、光ディスク１０６が面振れ時の接線方向の傾斜変化に対し、回折光受光素子１０１ｂ２に入る領域が変化する。通常、透過戻り光１１０ａに比べ、回折戻り光１１０ｂの光量は数分の１程度と小さいため、透過戻り迷光１１０ｃが回折光受光素子１０１ｂ２に出入りすることによって、ＣＤ再生時のトラッキングエラーのオフセット変化を発生させてしまい、トラッキングサーボが不安定になる。この課題を解消するためには光ピックを使用するシステム側で光ディスク１０６の傾きに対して発生するトラッキングエラーのオフセット学習を頻繁に行うなどの機能を施す必要があるが、メカの振動などに対する耐振性能を損なってしまう。
【０００７】
また、ＤＶＤ用の波長６５０ｎｍ付近のレーザー光源、ＣＤ用の波長７８０ｎｍ付近のレーザー光源の波長に対する選択的なフィルターの実施例として、特許文献１のＥＣ膜によるもの、特許文献２の多層膜によるものが従来、用いられてきた。
【特許文献１】特開平９−３２０１０１号公報
【特許文献２】特開平１０−６４０９７号公報
【発明の開示】
【発明が解決しようとする課題】
【０００８】
図１０を用いて説明した従来例では、ＣＤ再生時に透過戻り迷光がトラッキングエラー生成用の回折光受光素子１０１ｂ２と再生信号用の透過光受光素子１０１ｂ１との間を交差して戻ってくる。光ディスクが接線方向に回転に応じて傾斜した時、この透過戻り迷光の受光素子上に戻る位置が変化し、回折光受光素子１０１ｂ２に戻る量が変化するために、回折光受光素子より算出されるトラッキングエラーのオフセットが変化し、トラッキングサーボが不安定になるため、光ピックアップを使用するサーボ回路側でこのオフセットの影響を軽減させるためのトラッキングオフセット学習を頻繁に行うなどの機能を施す必要があるが、メカ振動などの耐振性能やトラッキングエラーへ漏れこむノイズに対する性能が低下してしまう。
【０００９】
また、ＣＤ再生時の透過戻り迷光対策として特許文献１、特許文献２に挙げられる波長に対する選択型の開口フィルターを可動ユニットに搭載することがよく見受けられるが、可動ユニットに開口フィルターを搭載することによって、可動ユニットに開口フィルターを取り付ける厚みが必要となるため、光ピックアップの薄型化を阻害するという課題が発生してしまう。
【００１０】
本発明の目的は、薄型化を阻害することなく、CD再生能力を劣化させるトラッキングエラーのオフセット変動を抑えた高性能な光ピックアップを提供することである。
【課題を解決するための手段】
【００１１】
本発明の光ピックアップは、ＤＶＤ，CDを再生させるためのそれぞれ異なった波長のレーザーと、再生信号用の透過光に加えCD再生時のトラッキングエラー用の回折光を生成するグレーティングと、前記ＤＶＤ，ＣＤ用レーザー光源からの発散光を略平行光に変換するコリメートレンズと、前記コリメートレンズを通った略平行光をＤＶＤ，ＣＤなどの光ディスクの信号面に集光する対物レンズと、この対物レンズを少なくとも光軸方向と光ディスクの半径方向の２軸方向に可動させる可動ユニットと、前記光ディスクの反射光を検出するための受光部として再生信号用の透過光受光素子と、CD再生時のトラッキングエラー用の回折光受光素子と、前記反射光を前記透過光受光素子と前記回折光受光素子に導くホログラムと、ＤＶＤ再生用のレーザーを透過させＣＤ再生レーザー光を遮光するフィルター部を備え、前記フィルター部は固定部材に設けられている光ピックアップである。
【００１２】
また前記フィルター部は前記レーザー光が通る光軸方向と直交する面上の前記光軸を中心として前記光ディスク半径方向と直交方向に幅を持つ矩形領域を除く領域に設けられ、この矩形領域の幅は略ＣＤ再生時の有効領域寸法でかつ前記受光部では前記透過光受光素子と前記回折用受光素子の境界より内側の前記透過受光素子内に投影される領域であることが好ましい。
【００１３】
好ましい実施の形態では前記固定部材は光学部品と前記可動ユニットを保持する光学ベースである。
【００１４】
好ましい実施の形態では前記固定部材は前記ホログラムである。
【００１５】
好ましい実施の形態では前記固定部材は前記コリメートレンズである。
【発明の効果】
【００１６】
以上のように本発明の光ピックアップによれば、フィルター部を固定部材に設けることにより薄型化を阻害することなく、CD再生時に必要なトラッキングエラーのオフセット変動を抑えることができるため、小型で面振れディスク再生性能の優れた高性能な光ピックアップを提供することができる。
【発明を実施するための最良の形態】
【００１７】
以下、本発明の実施の形態について、図１から図９を参照しながら説明する。
【００１８】
（実施の形態１）
図１は、本発明の実施の形態１における光ピックアップの光学構成図である。
【００１９】
図１に示す１はＤＶＤ用の波長６５０ｎｍ付近のレーザー光源、ＣＤ用の波長７８０ｎｍ付近のレーザー光源と受光素子と信号面からの反射光を受光素子に導くホログラムを一体化した２波長レーザー集積ユニットであり、従来例の図１１で示したものと同様の構成である。２は２波長レーザー集積ユニット１から発散光として出射されるレーザー光を平行光に変換するコリメートレンズ、３はコリメートレンズより出射され平行光を垂直方向に折り曲げるミラーである。４は入射された平行光を光ディスク６の信号面に集光する対物レンズであり、ＤＶＤ，ＣＤと基材厚の異なった2種類のディスクに対して、それぞれ収差が小さくなるように設計されている。５は対物レンズ４と一体化して少なくとも光軸方向、及びディスクの半径方向の２軸方向に可動する可動ユニットである。2波長レーザー集積ユニット1とコリメートレンズ２の間に設けられた、レーザーなどの光学部品と前記可動ユニットを保持する光学ベース（固定部材）の所定位置に開口フィルター７が配置されている。
【００２０】
図２は対物レンズ４の概略図である。図２において、対物レンズ４は内周部４ａ、中周部４ｂ、外周部４ｃの3ゾーンより構成されており、レンズとして使用する領域内は略々光軸に対し回転対称な形状である。図１の光ディスク６の表面から信号面までのDVDが約０．６ｍｍ、CDが約１．２ｍｍと厚みが異なっている。対物レンズ４のうち、CDを再生するのに使用するＣＤ再生有効範囲９ｃは内周部４ａ，中周部４ｂ、ＤＶＤ再生有効範囲９ｄは内周部４ａ，中周部４ｂ、外周部４ｃの範囲となり、通常、CD側の開口数（ＮＡ）は約０．４５、DVD側の開口数は約０．６となる。対物レンズ４の内周部４ａは近軸で球面収差の発生量が小さい範囲内であり、ＤＶＤ側に最適となるように設計されるが、CD再生時にも球面収差は殆ど発生しない。内周部４ａと中周部４ｂ間には段差が設けられており、ＣＤ再生時にはこの領域で収差が小さくなるように設計される。外周部４ｃはＤＶＤ再生時のみで使用するためにＤＶＤ基材厚に最適となるように設計されており、ＤＶＤ再生時にはこの領域全体で収差が小さくなるように設計される。
【００２１】
図３は２波長レーザー集積ユニットの分解斜視図である。図３において、１個の素子でＤＶＤ用レーザー、ＣＤ用レーザーの２波長で発光する２波長レーザー１ａより出射された光はホログラム１ｃのグレーティングパターン１ｃ１により回折されこのうち±１次光がＣＤ再生時に使用するトラッキングエラー生成時に使用される。次にホログラムパターン１ｃ２を通るが、このうち透過光のみが図1の開口フィルター７、コリメートレンズ２、ミラー３、対物レンズ４を通り光ディスク６の信号面に集光される。この集光された光は光ディスク６の信号面で反射し、光ディスク６への入射時とは逆に対物レンズ４、ミラー３、コリメートレンズ２、開口フィルター７を通り２波長レーザー集積ユニット１に戻ってくる。２波長レーザー集積ユニット１ではホログラムパターン１ｃ２で回折され受光素子１ｂに導かれる。グレーティング素子１ｃ１で回折された±１次光でありＣＤトラッキングエラー用の信号は回折光受光素子１ｂ２に、グレーティング素子１ｃ１での透過光であり再生用に用いられる信号は透過光受光素子１ｂ１に導かれる。
【００２２】
図４は開口フィルター７の平面図である。図４において、７ａは開口フィルターの透過部、７ｂはフィルター部である。透過部７ａは入射する光の波長に依らず、ＤＶＤ，ＣＤ用のいずれのレーザーに対しても、殆どの光を透過する。フィルター部７ｂはＤＶＤ用の波長６５０ｎｍのレーザー光は殆ど透過させるが、CD用の７８０ｎｍのレーザー光は逆に殆どを反射させる特性を備えている。このような特性を有するフィルター部７ｂにはＳｉＯ２やＴｉＯ２などを用いた多層膜などを使用している。図中にてＨは高さ方向、Ｒは半径方向を示し、透過部７ａの半径方向と直交する高さ方向の幅７ａ１は図１のＣＤ再生有効範囲９ｃと略々同じに設定される。また、この高さ方向の幅７ａ１は図３の2波長レーザー集積ユニット１の受光素子１ｂ面では透過光受光素子１ｂ１と外側の回折光受光素子１ｂ２の境界より内側の透過受光素子1ｂ1内に投影される領域に相当する。開口フィルターの透過部７ａを半径方向Ｒに平行な帯形状としているのは通常対物レンズ４が半径方向に可動し、ＣＤ再生有効範囲９ｃも半径方向Ｒに沿って移動した場合にこの範囲が遮光されるのを防ぐためである。
【００２３】
次に受光素子と光ディスクからの戻り光との関係について図５を用いて説明する。図３にて前述した通り、ＣＤトラッキングエラー用に用いられる回折戻り光１０ｂは回折光受光素子１ｂ２に、再生用信号に用いられる透過戻り光１０ａは透過光受光素子１ｂ１に導かれる。また、開口フィルター７を備えていない場合、ＤＶＤ再生有効範囲９ｄとＣＤ再生有効範囲９ｃの差分が透過戻り迷光として透過戻り迷光１０ｃ、１０ｄが戻る。但し、この時の透過戻り迷光１０ｃ，戻り迷光１０ｄは図２の対物レンズ構成によりこの領域に相当する対物レンズの外周部４ｃがＤＶＤの収差が最小となるよう設計されているため、ＣＤ再生光では従来例に比べ、透過戻り光１０ａとの結像点が離れてしまい、受光素子１ｂ上でのスポットが透過戻り光１０ａに比べて大きく、この透過戻り光１０ａを中心として離れた位置に戻るため透過受光素子１ｂ１に戻る光量を抑えることができる。
【００２４】
また、図４で説明した開口フィルター７は受光素子１ｂ面では透過光受光素子１ｂ１と外側の回折光受光素子１ｂ２の境界より内側に相当するため、開口フィルターの透過部７ａを通った光が回折受光素子１ｂ１に戻るのを抑制することができる。また、開口フィルターの透過部７ａの外側に位置するフィルター部７ｂに当たる戻り迷光１０ｄは回折光受光素子１ｂ２に戻るものをフィルター部７ｂに反射されたため遮光され、この戻り迷光１０ｄの領域は透過用受光素子１ｂ１、回折用受光素子１ｂ２に戻らない。
【００２５】
従って、光ディスク６が面振れした時、そのディスク傾斜変化のうち接線方向変化に対し、受光面上に戻った光は透過光受光素子１ｂ１と回折光受光素子１ｂ２の境界線と直交する方向に移動する。しかしながら、開口フィルターの透過部７ａに相当する透過戻り光１０ａ、透過戻り迷光１０ｃは回折光受光素子１ｂ２には戻らず、透過光戻り迷光１０ｄは開口フィルターのフィルター部７ｂによって遮光され回折用受光素子１ｂ2に出入りしないため、回折光受光素子１ｂ２にて生成されるＣＤ用トラッキングエラーのオフセット変化の発生を抑制することができる。
【００２６】
なお、図１の開口フィルター７はコリメートレンズ２に接触、もしくは可能な限り近傍に配置させることによりコリメートレンズ２の主点と開口フィルターのフィルター部７ｂのパターンを高精度に位置規制をすることができる。また、この様に、開口フィルター７を固定部側に配置することにより、特許文献１に記載の可動ユニットに開口フィルターを搭載する場合に比べて光ピックを薄型化できる。この開口フィルターの透過部７ａ形状をディスク半径に平行な帯形状とすることによって、対物レンズ４が半径方向に可動してもＣＤ再生有効領域9ｃを遮ることはない。
【００２７】
（実施の形態２）
図６は、本発明の実施の形態２における光ピックアップの光学構成図を示したものである。
【００２８】
図６に示す１はＤＶＤ用の波長６５０ｎｍ付近のレーザー用光源、ＣＤ用の波長７８０ｎｍ付近のレーザー光源と受光素子と信号面からの反射光を受光素子に導くホログラムを一体化した２波長レーザー集積ユニットであり、実施の形態１の図３で示したものと同様の構成である。２は２波長レーザー集積ユニット１から発散光として出射されるレーザー光を平行光に変換するコリメートレンズ、３はコリメートレンズより出射され平行光を垂直方向に折り曲げるミラーである。４は入射された平行光を光ディスク６の信号面に集光する対物レンズであり、ＤＶＤ，ＣＤと基材厚の異なった2種類のディスクに対して、それぞれ収差が小さくなるように設計されている。５は対物レンズ４と一体化して少なくとも光軸方向、及びディスクの半径方向の２軸方向に可動する可動ユニットである。2波長レーザー集積ユニット1にホログラムのフィルター部１１が備え付けてある。このことでホログラムは開口フィルターの役割も果たす。
【００２９】
図７は２波長レーザー集積ユニットの分解斜視図である。図７に示すホログラム1ｃのコリメートレンズ２と対面する側にフィルター部１１がホログラムに精度よく位置規制され、このホログラム（固定部材）上に蒸着されている。フィルター部１１以外の２波長レーザー集積ユニットの構造は図３と同一である。このフィルター部１１の境界は実施の形態１の場合と同様にディスク６の半径方向と平行であり、この境界の間隔１１ａ１はＣＤ再生時の有効範囲と略同寸法に設定される。フィルター部１１に領域ではＤＶＤ用の波長６５０ｎｍのレーザー光は殆ど透過させるが、ＣＤ用の７８０ｎｍのレーザー光は殆ど反射させる特性を備えている。このフィルター部１１以外の部品とフィルター１１の機能については実施の形態１で説明したものと同じであり、フィルター部１１により図５の透過戻り迷光１０ｄは遮光され、この戻り迷光１０ｄの領域は透過用受光素子１ｂ１、回折用受光素子１ｂ２に戻らない。従って、実施の形態１と同様に光ディスク６が面振れ時の接線方向の傾斜変化に対し、戻り迷光１０ｄが回折用受光素子１ｂ1に出入りしないため、ＣＤ用トラッキングエラーのオフセット変化の発生を抑制することができる。
【００３０】
また、このフィルター部１１はホログラム１ｃに直接、蒸着されて形成されるため、新たな部品を追加することなく実施でき、レーザー１ａ近傍に蒸着されるため、フィルター部１１の領域も狭い範囲のみでよく、コストを抑制できる。
【００３１】
（実施の形態３）
図８は、本発明の実施の形態３における光ピックアップの光学構成図である。
【００３２】
図８に示す１はＤＶＤ用の波長６５０ｎｍ付近のレーザー用光源、ＣＤ用の波長７８０ｎｍ付近のレーザー光源と受光素子と信号面からの反射光を受光素子に導くホログラムを一体化した２波長レーザー集積ユニットであり、実施の形態１の図３で示したものと同様の構成である。２は２波長レーザー集積ユニット１から発散光として出射されるレーザー光を平行光に変換するコリメートレンズであり、曲率半径の大きく略フラット形状である２波長レーザー集積ユニット１と対面した面側にフィルター部１２がコリメートレンズに精度よく位置規制され、このコリメートレンズ（固定部材）上に蒸着されている。このことでコリメートレンズは開口フィルターの役割も果たす。３はコリメートレンズより出射され平行光を垂直方向に折り曲げるミラーである。４は入射された平行光を光ディスク６の信号面に集光する対物レンズであり、ＤＶＤ，ＣＤと基材厚の異なった2種類のディスクに対して、それぞれ収差が小さくなるように設計されている。５は対物レンズ４と一体化して少なくとも光軸方向、及びディスクの半径方向の２軸方向に可動する可動ユニットである。
【００３３】
図９は２波長レーザー集積ユニットと対面する面のコリメートレンズ平面図である。図９に示す１２はフィルター部であり、矢印Ｒはディスクの半径方向、矢印Ｈは高さ方向を示す。フィルター部１２の境界の幅１２ａ１は図８のＣＤ再生有効範囲9ｃと略同じに設定される。フィルター部１２以外の部品とフィルター部１２の機能については実施の形態１で説明したものと同じであり、フィルター部１２により図５の透過戻り迷光１０ｄは遮光され、この戻り迷光１０ｄの領域は透過用受光素子１ｂ１、回折用受光素子１ｂ２に戻らない。従って、実施の形態１と同様に実施光ディスク６が面振れ時の接線方向の傾斜変化に対し、戻り迷光１０ｄが回折用受光素子１ｂに出入りしないため、ＣＤ用トラッキングエラーのオフセット変化の発生を抑制することができる。また、このフィルター部１２はコリメートレンズ２に直接、蒸着されて形成されるため、新たな部品を追加することなく光軸に対し高い位置精度でコストアップを抑えて実施することができる。
【産業上の利用可能性】
【００３４】
以上のように、本発明にかかる光ピックアップは情報記録媒体にレーザー光などの光ビームを照射して情報記録媒体の記録再生を行う光学式ディスク記録再生装置、もしくは光学式ディスク再生装置に用いる光ピックアップに適用できる。
【図面の簡単な説明】
【００３５】
【図１】本発明の第１の実施の形態の光ピックアップの光学構成図
【図２】本発明の対物レンズの形状を示す概略図
【図３】本発明の第１の実施の形態の２波長レーザー集積ユニットの分解斜視図
【図４】本発明の第１の実施の形態の開口フィルターの形状を示す平面図
【図５】本発明の第１の実施の形態のＣＤ再生時の２波長レーザー集積ユニットの受光素子への戻り光概略図
【図６】本発明の第２の実施の形態の光ピックアップの光学構成図
【図７】本発明の第２の実施の形態の波長レーザー集積ユニットの分解斜視図
【図８】本発明の第３の実施の形態の光ピックアップの光学構成図
【図９】本発明の第３の実施の形態のコリメートレンズ平面図
【図１０】従来の光ピックアップの光学構成図
【図１１】従来の２波長レーザー集積ユニットの分解斜視図
【図１２】従来のＣＤ再生時の２波長レーザー集積ユニットの受光素子への戻り光概略図
【符号の説明】
【００３６】
１    ２波長レーザー集積ユニット
１ａ    レーザー
１ｂ    受光素子
１ｂ１    透過光受光素子
１ｂ２    回折光受光素子
１ｃ    ホログラム
１ｃ１    グレーティングパターン
１ｃ２    ホログラムパターン
２    コリメートレンズ
３    ミラー
４    対物レンズ
４ａ    対物レンズの内周部
４ｂ    対物レンズの中周部
４ｃ    対物レンズの外周部
５    可動ユニット
６    光ディスク
７    開口フィルター
７ａ    開口フィルターの透過部
７ｂ    開口フィルターのフィルター部
９ｄ    ＤＶＤ再生有効範囲
９ｃ    ＣＤ再生有効範囲
１０ａ    透過戻り光
１０ｂ    回折戻り光
１０ｃ,１０ｄ    透過戻り迷光
１１    （ホログラムの）フィルター部
１２    （コリメートレンズの）フィルター部
【図１】
2008186511.tif 000003
【図２】
2008186511.tif 000004
【図３】
2008186511.tif 000005
【図４】
2008186511.tif 000006
【図５】
2008186511.tif 000007
【図６】
2008186511.tif 000008
【図７】
2008186511.tif 000009
【図８】
2008186511.tif 000010
【図９】
2008186511.tif 000011
【図１０】
2008186511.tif 000012
【図１１】
2008186511.tif 000013
【図１２】
2008186511.tif 000014